(57)【要約】【課題】アンテナを引き出すだけで容易に無線ネットワークへ接続できるコンピュータシステムの制御方法及びコンピュータシステムが提供する。【解決手段】外部に引き出すことができるアンテナ１２を有し，ネットワークに無線で接続してシステムのデータを無線送受信するコンピュータシステムの制御方法であって，アンテナ１２が引き出されているかまたは収納されているかを感知する段階と；アンテナ１２が引き出されていると感知した場合，ネットワークに接続するためのネットワーク接続プログラムを実行させる段階と；を含むことを特徴とする，コンピュータシステムの制御方法。【選択図】　図３
2004048641.tif 000002
【特許請求の範囲】
【請求項１】
外部に引き出すことができるアンテナを有しており，ネットワークに無線で接続してシステムのデータを無線送受信するコンピュータシステムの制御方法であって，
前記アンテナが引き出されているかまたは収納されているかを感知する段階と；
前記アンテナが引き出されていると感知した場合，前記ネットワークに接続するためのネットワーク接続プログラムを実行させる段階と；
を含むことを特徴とする，コンピュータシステムの制御方法。
【請求項２】
前記アンテナが引き出されていると感知した場合，前記システムが節電モード状態であるか否かを確認する段階と；
前記システムが節電モード状態であると感知した場合，前記システムを定常モード状態に転換させる段階と；
前記システムが定常状態に転換された場合，前記ネットワーク接続プログラムを実行させる段階と；
をさらに含むことを特徴とする，請求項１に記載のコンピュータシステムの制御方法。
【請求項３】
前記アンテナが引き出されたと感知した場合，前記システムがターンオフ状態であるか否かを確認する段階と；
前記システムがターンオフ状態であると確認した場合，前記システムに電源を印加する段階と；
電源印加に従って，前記システムを起動する段階と；
システムの起動の完了後，前記ネットワーク接続プログラムを実行させる段階と；
をさらに含むことを特徴とする，請求項１または２のいずれか１項に記載のコンピュータシステムの制御方法。
【請求項４】
外部に引き出すことができるアンテナを有しており，ネットワークに無線で接続してシステムのデータを無線送受信するコンピュータシステムであって，
前記アンテナが引き出されているかまたは収納されているかを感知するためのアンテナ感知部と；
前記システム制御のためのシステム制御信号を生成するシステム信号発生部と；
前記アンテナ感知部による感知の結果，前記アンテナが引き出されていると感知した場合，前記ネットワークに接続するためのネットワーク接続プログラムの駆動信号が出力されるように前記システム信号発生部を制御する制御部と；
を含むことを特徴とする，コンピュータシステム。
【請求項５】
前記システムの節電モード状態で前記アンテナが引き出されていると感知した場合，前記制御部は，前記節電モードを解除するための節電モード解除信号が出力された後に，前記ネットワーク接続プログラムの駆動信号が出力されるように，前記システム信号発生部を制御することを特徴とする，請求項４に記載のコンピュータシステム。
【請求項６】
前記システムに駆動電源を供給するシステム電源制御部をさらに含み，
前記制御部は，前記システムがターンオフされた状態で，前記アンテナが引き出されていると感知した場合，前記システム信号発生部を通じて前記システム電源制御部にシステム電源信号を印加して，前記システムに駆動電源が供給されるようにした後，前記ネットワーク接続プログラムの駆動信号が出力されるように，前記システム信号発生部を制御することを特徴とする，請求項４または５のいずれか１項に記載のコンピュータシステム。
【発明の詳細な説明】
【０００１】
【発明の属する技術分野】
本発明は，コンピュータシステムの制御方法に係り，より詳細には，アンテナを引き出すだけで容易に無線ネットワークに接続することができるコンピュータシステムの制御方法及びコンピュータシステムに関する。
【０００２】
【従来の技術】
ネットワーク環境が発達したことにより，コンピュータシステムにおいてネットワークに接続するために必要なネットワークアダプタが，コンピュータ構成の必須アイテムになった。特に，移動性が重要な携帯用コンピュータやＰＤＡ等に無線ネットワーク接続モジュールを装着することにより，ネットワークへの無線接続が可能になった。このような無線ネットワーク接続モジュールには，例えば，インターネットへの接続のための無線ＬＡＮカード，移動通信網への接続のためのＣＤＭＡ通信モジュール，近距離無線通信のためのブルートゥース（Ｂｌｕｅｔｏｏｔｈ）モジュール等がある。
【０００３】
【特許文献１】
米国特許第５７３９７９１号公報
【特許文献２】
米国特許第５９０３５４８号公報
【特許文献３】
米国特許第６１８１２８４号公報
【特許文献４】
米国特許第６２６６０１７号公報
【特許文献５】
韓国特許公開１９９８年第４１７８９号公報
【特許文献６】
韓国特許公開２０００年第３８８７７号公報
【特許文献７】
韓国特許公開２００１年第１０９６０１号公報
【特許文献８】
韓国特許公開２００２年第９１３０号公報
【特許文献９】
韓国登録実用新案第２２６１７０号公報
【特許文献１０】
特開２０００−１６３１７０号公報
【特許文献１１】
特開２０００−１７４５２７号公報
【特許文献１２】
特開２０００−２８４８５４号公報
【特許文献１３】
特開２００１−６７１４３号公報
【０００４】
【発明が解決しようとする課題】
無線ネットワーク接続モジュールを利用してネットワークに接続する場合，ユーザは，コンピュータのＯＳ（Ｏｐｅｒａｔｉｏｎ　Ｓｙｓｔｅｍ）上でネットワークへの接続のためのソフトウェアを実行させることにより，無線ネットワークに接続することができる。即ち，コンピュータシステムを利用して電話をかけたり，インターネットに接続したりするためには，システムを起動させた後，当該プログラムを実行させなれればならない。
【０００５】
一方，無線ネットワーク接続モジュールには，信号の送受信のためのアンテナが内蔵されまたは外付けされて備わる。ここで，外付け型アンテナの場合，コンピュータシステムの本体の一方の側にアンテナが露出しているので，ネットワークへの接続時にユーザが直接アンテナを引き出すようになっている。従ってユーザが無線ネットワーク接続モジュールを利用してネットワークに接続するためには，ネットワーク接続のためのソフトウェアを実行させる一方，アンテナを引き出さなければならないので，使用が複雑だという短所がある。
【０００６】
本発明の目的は，上述した問題点を解決するため，アンテナを引き出すだけで容易に無線ネットワークへ接続することができるコンピュータシステム及びコンピュータシステムの制御方法を提供することにある。
【０００７】
【課題を解決するための手段】
上記目的を達成するための本発明のコンピュータシステムの制御方法は，外部に引き出すことができるアンテナを有しており，ネットワークに無線で接続してシステムのデータを無線送受信するコンピュータシステムの制御方法であって，アンテナが引き出されているかまたは収納されているかを感知する段階と；アンテナが引き出されていると感知した場合，ネットワークに接続するためのネットワーク接続プログラムを実行させる段階と；を含むことを特徴とする。
【０００８】
このような構成により，アンテナを引き出すだけで容易に無線ネットワークへ接続することができる。
【０００９】
ここで，上記アンテナが引き出されていると感知した場合，システムが節電モード状態であるか否かを確認する段階と；システムが節電モード状態であると感知した場合，システムを定常モード状態に転換させる段階と；システムが定常状態に転換された場合，ネットワーク接続プログラムを実行させる段階と；をさらに含むことが好ましい。このような構成により，ネットワーク接続プログラムがすぐに実行できない状態でも，システムを定常状態に転換させた後に，ネットワーク接続プログラムを自動的にスタートさせることができる。
【００１０】
また，アンテナが引き出されたと感知した場合，システムがターンオフ状態であるか否かを確認する段階と；システムがターンオフ状態であると確認した場合，システムに電源を印加する段階と；電源印加に従って，システムを起動する段階と；システムの起動の完了後，ネットワーク接続プログラムを実行させる段階と；をさらに含むように構成してもよい。このように構成すれば，システムがターンオフされていても，システムを起動（ブート）させた後に，ネットワーク接続プログラムを実行させることができる。
【００１１】
また，上記目的を達成するための本発明のコンピュータシステムは，外部に引き出すことができるアンテナを有しており，ネットワークに無線で接続してシステムのデータを無線送受信するコンピュータシステムであって，アンテナが引き出されているかまたは収納されているかを感知するためのアンテナ感知部と；システム制御のためのシステム制御信号を生成するシステム信号発生部と；アンテナ感知部による感知の結果，アンテナが引き出されていると感知した場合，ネットワークに接続するためのネットワーク接続プログラムの駆動信号が出力されるようにシステム信号発生部を制御する制御部と；を含むことを特徴とする。
【００１２】
ここで，上記システムの節電モード状態で前記アンテナが引き出されていると感知した場合，制御部は，節電モードを解除するための節電モード解除信号が出力された後に，ネットワーク接続プログラムの駆動信号が出力されるように，システム信号発生部を制御することができる。
【００１３】
また，上記システムに駆動電源を供給するシステム電源制御部をさらに含み，制御部は，システムがターンオフされた状態で，アンテナが引き出されていると感知した場合，システム信号発生部を通じてシステム電源制御部にシステム電源信号を印加して，システムに駆動電源が供給されるようにした後，ネットワーク接続プログラムの駆動信号が出力されるように，システム信号発生部を制御することができる。このように構成すれば，システム電源がターンオフされた状態では，システムを起動させた後に，ネットワーク接続プログラムを実行させることができる。
【００１４】
【発明の実施の形態】
以下に，本発明のいくつかの実施の形態を，図面を用いて説明する。なお，本明細書及び図面において，実質的に同一の機能構成を有する構成要素については，同一の符号を付することにより重複説明を省略する。
【００１５】
図１は，本発明の実施形態によるコンピュータシステムが適用されたコンピュータ（携帯用）の斜視図であり，図２は，本発明の実施形態によるコンピュータシステムの制御ブロック図である。
【００１６】
図１，図２に示すように，携帯用コンピュータ１は，本体３と，本体３の上部に回動可能に折り畳まれるようにヒンジ結合されるディスプレイパネル２とを有している。本体３の収容空間には，ＣＰＵ５，メインメモリ７，ＢＩＯＳ　ＲＯＭ９，システムバス６，システム電源制御部１４，無線ネットワーク接続モジュール１０等の各種のシステム構成要素が設けられる。
【００１７】
中央演算処理装置であるＣＰＵ５，メインメモリ７，ＢＩＯＳ　ＲＯＭ９，及びシステムバス６は，コンピュータシステムの制御及び演算機能を行うための構成要素として，ＣＰＵ５の制御に従ってシステムバス６を通じて各種のデータが移動，処理，及び演算されて，システム機能が行われる。
【００１８】
システム電源制御部１４は，ユーザの電源選択により印加される電源選択信号に従ってコンピュータシステムの各構成要素に駆動電源を供給する。無線ネットワーク接続モジュール１０は，アンテナ１２を通じて無線信号を送受信することにより，コンピュータシステムがネットワークに無線接続できるようにする。無線ネットワーク接続モジュール１０のアンテナ１２は，受信感度の向上のため，本体３の周辺端部の一領域に設けられたアンテナ引出口４を通して外部に引き出されるように設けられる。
【００１９】
従って，ネットワークに無線接続する場合，ユーザは，無線ネットワーク接続モジュール１０のアンテナ１２をアンテナ引出口４を通じて引き出し，アンテナ１２が本体３の外部に突出されるようにアンテナ１２を伸ばして使用する。このようにして，無線信号の送受信感度が向上される。また，無線ネットワーク接続モジュール１０を駆動しない場合，アンテナ１２を本体３内の収容空間に内在されるように収納させた状態で使用する。
【００２０】
ここで，無線ネットワーク接続モジュール１０は，アンテナ１２が引き出される場合，ネットワークへの接続のためのプログラム駆動信号を出力し，ＣＰＵ５は，無線ネットワーク接続モジュール１０から印加されたプログラム駆動信号に従って当該プログラムが実行されるようにする。
【００２１】
また，無線ネットワーク接続モジュール１０は，システムがターンオフされた状態でアンテナ１２が引き出される場合，システム電源制御部１４にシステム電源信号を印加した後，無線ネットワーク接続のためのプログラム駆動信号を出力する。これにより，システムがターンオフされた状態で，アンテナ１２を引き出す場合，システムの起動後に無線ネットワーク接続のためのプログラムが実行される。
【００２２】
このような無線ネットワーク接続モジュール１０の構成を，図３を参照して詳細に説明する。図３に示すように，無線ネットワーク接続モジュール１０は，無線信号の送受信のためのアンテナ１２，無線送受信部２２，送受信されるデータを処理するデータ処理部２４，アンテナ１２の引き出しまたは挿入を感知するアンテナ感知部２６，システム信号を生成する信号発生部２８，これらを制御する制御部２０，及びシステム側とのデータの入出力のためのシステムインターフェース３０を含む。
【００２３】
システムインターフェース３０は，無線ネットワーク接続モジュール１０とシステムとの間のデータの入出力をインターフェーシングして，システム側のデータが無線ネットワーク接続モジュール１０に伝達されるようにする。また，無線ネットワーク接続モジュール１０を通じて受信されたデータ，及び無線ネットワーク接続モジュール１０で生成された信号を，システム側に提供する。システムインターフェース３０は，無線ネットワーク接続モジュール１０のシステム接続方式に従って，ＰＣＩインターフェース，ＰＣＭＣＩＡインターフェース，ＵＳＢインターフェース等が適用される。無線ネットワーク接続モジュール１０がコンピュータのメインボードに実装されたオンボード状態からなる場合，システムバス６側にデータを直接伝達する方式のインターフェースを採用することもできる。
【００２４】
制御部２０は，無線送受信部２２及びデータ処理部２４を制御して，システムインターフェース３０を通じて入力されたデータをネットワークに伝送可能な形態に変換する。そして，アンテナ１２及び無線送受信部２２を通じて無線送信し，受信したデータをデータ処理部２４を通じて処理してシステム側に提供する。
【００２５】
一方，アンテナ感知部２６は，本体３の外部に突出されるアンテナ１２の引き出しまたは挿入の可否を感知して，感知結果を制御部２０に提供する。
【００２６】
信号発生部２８は，制御部２０の制御に従って，システムインターフェース３０を通じてシステム側にネットワーク接続プログラム駆動信号，システム電源信号等のシステム信号を印加する。
【００２７】
ここで，制御部２０は，アンテナ感知部２６を通じて感知した結果，アンテナ１２が引き出されたと感知した場合，ネットワーク接続プログラム駆動信号が出力されるように信号発生部２８を制御する。信号発生部２８を通じて生成されたネットワーク接続プログラム駆動信号は，システムインターフェース３０を通じてシステムバス６及びＣＰＵ５側に伝達される。ＣＰＵ５は，ネットワーク接続プログラム駆動信号に応じてネットワーク接続プログラムが実行されるようにする。
【００２８】
また，システムが節電モード状態でアンテナ１２が引き出されたと判断された場合，制御部２０は，信号発生部２８を通じて節電モード解除信号を生成してシステム側に出力することにより，システムが定常モードに転換された後に，ネットワーク接続プログラム駆動信号が出力されるようにする。
【００２９】
一方，システムがターンオフされた状態でアンテナ１２が引き出されたと感知した場合，制御部２０は，まずシステム電源制御部１４にシステム電源信号が印加されるように信号発生部２８を制御する。システム電源制御部１４は，無線ネットワーク接続モジュール１０から印加されたシステム電源印加信号に従って，システムの回路各部に駆動電源を印加し，システムが起動されるようにする。システムの起動が完了した後，無線ネットワーク接続モジュール１０の制御部２０は，信号発生部２８を通じてネットワーク接続プログラム駆動信号を生成してシステム側に印加し，ネットワーク接続プログラムが実行されるようにする。
【００３０】
このように，無線ネットワーク接続モジュール１０の制御部２０は，アンテナ１２が引き出されればネットワーク接続プログラムが実行されるようにすることにより，ユーザがアンテナ１２を引き出した後，ネットワーク接続プログラムを通じて無線ネットワークに接続して，すぐに作業を行うことができるようにする。
【００３１】
また，節電モード状態やターンオフ状態等，ネットワーク接続プログラムをすぐに実行できない状態の場合，無線ネットワーク接続モジュール１０の制御部２０は，システムの状態に応ずる制御信号をまず印加してプログラムが駆動できる状態にシステムを転換する。従って，節電モード状態の場合，制御部２０はまず節電モード解除信号をシステム側に印加し，ターンオフ状態で制御部２０はシステム電源信号を印加してシステムが定常状態に転換されるようにした後，プログラム駆動信号を印加する。
【００３２】
以上の説明で，無線ネットワーク接続モジュール１０は，外部に引き出することができるアンテナ１２を有してネットワークに無線で接続する装置を含む。このような無線ネットワーク接続モジュール１０としては，無線ＬＡＮカード，ＣＤＭＡ通信モジュール，ブルートゥースモジュール等を挙げることができる。
【００３３】
また，無線ネットワーク接続プログラムは，無線ネットワーク接続モジュール１０の種類に従って異なる。例えば，無線ネットワーク接続モジュール１０が無線ＬＡＮカードである場合，ネットワーク接続プログラムはウェブブラウザを用いることができ，無線ネットワーク接続モジュール１０がＣＤＭＡ通信モジュールである場合，ネットワーク接続プログラムは電話通話プログラムを用いることができる。
【００３４】
また，上述した説明では，無線ネットワーク接続モジュール１０が装着されたコンピュータシステムとして携帯用コンピュータ１を例にしたが，外部に引き出すことができるアンテナ１２を有して無線接続するＰＤＡや，パームトップコンピュータ，デスクトップコンピュータ等のコンピュータシステムにも適用することができる。
【００３５】
図４は，本発明の実施形態によるコンピュータ制御システムの制御フローチャートである。ネットワークに無線接続するため，段階Ｓ１０で，ユーザは無線ネットワーク接続モジュール１０のアンテナ１２を引き出す（Ｓ１０）。無線ネットワーク接続モジュール１０の制御部２０は，アンテナ感知部２６を通じてアンテナ１２が引き出されたか否かを感知し，アンテナ１２が引き出されたと感知されると，段階Ｓ１２で，制御部２０は無線通信のためのネットワーク接続プログラムが実行されているか否かを確認する（Ｓ１２）。無線通信のためのネットワーク接続プログラムが実行されていないと確認した場合，無線ネットワーク接続モジュール１０の制御部２０は，信号発生部２８を通じてネットワーク接続プログラムの駆動信号を印加する。無線ネットワーク接続モジュール１０からネットワーク接続プログラム駆動信号が出力されると，段階Ｓ１４で，ＣＰＵ５はネットワーク接続プログラムを実行させる（Ｓ１４）。ネットワーク接続プログラムが実行されると，段階Ｓ１６で，ユーザは無線ネットワーク接続プログラムを利用してネットワークに接続してデータを送受信することができる（Ｓ１６）。
【００３６】
一方，ネットワーク接続プログラムをすぐに実行できない場合の本発明の他の実施形態によるコンピュータ制御システムの制御フローチャートを図５に示す。段階Ｓ２０で，ユーザにより無線ネットワーク接続モジュール１０のアンテナ１２が引き出されると（Ｓ２０），無線ネットワーク接続モジュール１０の制御部２０はアンテナ感知部２６を通じてアンテナ１２が引き出されたことを感知し，段階Ｓ２２で，システム電源がターンオンされたか否かを確認する（Ｓ２２）。
【００３７】
ここで，システム電源がターンオンされた場合，無線ネットワーク接続モジュール１０の制御部２０は，段階Ｓ３２で，無線通信のためのネットワーク接続プログラムが実行されているか否かを確認する（Ｓ３２）。ネットワーク接続プログラムが実行されていないと確認された場合，ネットワーク接続プログラムの駆動信号を印加してネットワーク接続プログラムが実行されるようにする。
【００３８】
一方，システム電源がオフされている場合，無線ネットワーク接続モジュール１０の制御部２０は，段階Ｓ２４で，まずシステム電源信号を出力してシステムに電源が印加されるようにする（Ｓ２４）。段階Ｓ２６で，電源が印加されてシステムが起動されると（Ｓ２６），制御部２０は，段階Ｓ２８で，ネットワーク接続プログラムの駆動信号を印加してネットワーク接続プログラムが実行されるようにする（Ｓ２８）。ネットワーク接続プログラムが実行されると，段階Ｓ３０で，ユーザは無線ネットワーク接続プログラムを利用してネットワークに接続してデータを送受信することができる（Ｓ３０）。
【００３９】
上述した制御フローは，ネットワーク接続プログラムをすぐに実行できない状態である節電モード状態の場合にも同様に適用することができる。システムが節電モード状態である場合，段階Ｓ２２は，節電モード状態であるか否かを確認する段階で代替されることができ，段階Ｓ２４は，節電モード解除信号が印加される段階と，段階Ｓ２６は，節電モードから定常モードに転換される段階と代替して適用することができる。
【００４０】
以上のようにして本実施形態によるコンピュータ制御システムは，ネットワーク接続プログラムをすぐに実行できない状態である場合，無線ネットワーク接続モジュール１０の制御部２０は，システム状態に応ずる制御信号をまず印加して，プログラムが駆動できる状態にシステムを転換するようにした後に，ネットワーク接続プログラムが実行されるようにする。
【００４１】
以上説明したように，本実施形態は外部に引き出すことができるアンテナを有しており，ネットワークに無線で接続するコンピュータシステムにおいて，アンテナが引き出されると，ネットワーク接続プログラムが自動的に実行されるだけでなく，ネットワーク接続プログラムをすぐに実行できない状態である場合には，システムを定常状態に転換した後，ネットワーク接続プログラムが自動的に実行されるようにしている。従って，ユーザはアンテナを引き出せば，他の操作をしなくてもネットワークに無線で接続することができる。
【００４２】
以上，本発明に係るコンピュータシステムの制御方法及びコンピュータシステムの好適な実施の形態について説明したが，本発明はかかる構成に限定されない。いわゆる当業者であれば，特許請求の範囲に記載された技術思想の範囲内において，各種の修正例および変更例を想到し得るものであり，それらの修正例および変更例についても本発明の技術的範囲に包含されるものと了解される。
【００４３】
【発明の効果】
本発明によると，アンテナを引き出すだけで容易に無線ネットワークへ接続できるコンピュータシステムの制御方法及びコンピュータシステムが提供できた。
【図面の簡単な説明】
【図１】本発明の実施形態によるコンピュータシステムが適用された携帯用コンピュー
タの斜視図である。
【図２】図１のコンピュータシステムの制御ブロック図である。
【図３】図２の無線ネットワーク接続モジュールの制御ブロック図である。
【図４】本発明の実施形態によるコンピュータシステムの制御フローチャートである。
【図５】本発明の他の実施形態によるコンピュータシステムの制御フローチャートである。
【符号の説明】
１　　携帯用コンピュータ
２　　ディスプレイパネル
３　　本体
４　　アンテナ引出口
５　　ＣＰＵ
６　　システムバス
７　　メインメモリ
９　　ＢＩＯＳ　ＲＯＭ
１０　　無線ネットワーク接続モジュール
１２　　アンテナ
１４　　システム電源制御部
２０　　制御部
２２　　無線送受信部
２４　　データ処理部
２６　　アンテナ感知部
２８　　信号発生部
３０　　システムインターフェース
【図１】
2004048641.tif 000003
【図２】
2004048641.tif 000004
【図３】
2004048641.tif 000005
【図４】
2004048641.tif 000006
【図５】
2004048641.tif 000007